(57)【要約】      （修正有）【課題】聴覚により誘導するアルファ波を用いた人の遺伝子修正技術を実現する装置を提供する。【解決手段】音響信号処理装置は、音響信号を低音域、中音域、高音域の３帯域に分割し、それぞれの帯域にアルファ波誘導処理を行う。聴覚を用いて脳の特定部位を強く刺激するにはシナプスの連鎖反応を利用する事が確実で、例えば音の上下感を強くつかさどる信号帯域を操作するには特異な周波数特性と更に中音域を操作する（ディレクショナルバンド）必要があるが、この操作でアルファ波が誘導すると視覚や触覚が連動して方向感を捉えようと機能する。【選択図】図１
2019042453.tif 000002
【特許請求の範囲】
【請求項１】
日本国特許第４４２７６７２号（音響信号の明瞭度、弁別性能向上技術）を用い生成された音響信号聴取により誘導するアルファ波を用いた人の遺伝子修正技術。
【請求項２】
日本国特許第４４２７６７２号（音響信号の明瞭度、弁別性能向上技術）を用い設計、製造された体感振動装置（通称：ボディーソニック）や人体各処の聴ニューロン（脊椎刺激を含む）刺激による音響知覚装置（通称：ニューロフォン）により誘導するアルファ波を用いた人の遺伝子修正技術。
【請求項３】
日本国特許第４４２７６７２号（音響信号の明瞭度、弁別性能向上技術）を用い生成する音響信号の整数倍スペクトルにより入力放射線を変調する事で動作する放射線変調装置、および、そこから得られる放射線の人体照射により誘導するアルファ波を用いた人の遺伝子修正技術。
【発明の詳細な説明】
【技術分野】
【０００１】本発明は聴覚により誘導するアルファ波を用いた人の遺伝子修正技術とその応用技術に関するものである。
【背景技術】
【０００２】近年の各種ハイテク機器の普及は利用者のストレスを増大させ、結果的に癒し効果（ｈｅａｌｉｎｇ  ｅｆｆｅｃｔ）を持つ製品を数多く誕生させている。人が知覚可能な癒し効果は聴覚、視覚、嗅覚、味覚、触角の５感刺激による科学的計測が可能な知覚によるものと、これら５感刺激の脳内統合により得られる新たな感覚や未知の知覚能力を刺激する、いわゆる第６感以上の知覚能力刺激に由来するとされるものの２種類に大別されている。【０００３】しかし通常、現実の癒し効果と呼ばれる現象は上記２現象の狭間で知覚される現象を示す事が多く、例えば賛美歌や読経等の各種宗教的儀式に見られる癒し効果ではその影響を特に強く確認できる。【０００４】未知の知覚能力による癒し効果と考えられる現象は知覚能力そのものが未確認である為、科学的な再現は不可能である。しかし５感刺激の脳内統合により得られる新たな感覚は近年の脳波計測技術により詳細な観測が十分可能であり、得られる癒し効果の根源知覚を特定する事で視覚や聴覚等の特定知覚刺激により同様の癒し効果を誘発する事が可能になっている。【０００５】古くから癒し効果知覚時の人の脳波がアルファ波を示す事が指摘され脳波をアルファ波に誘導する事で人工的な癒し効果を得ようとする試みが数多く実用化されている。従来技術であるバイオフィードバック装置は視覚と聴覚の同時刺激による自己暗示手段を兼用しアルファ波の人工誘発を期待するものであるが価格的な問題や使い勝手による問題、装置そのものの特殊性、自己暗示そのものが内包する負の催眠暗示（マインドコントロール）的傾向等から一般への普及は実現していない。【０００６】近年では両耳ビート効果（バイノーラル・ビート）とアルファ波誘発の関係が明らかになった為、経験的にアルファ波の誘発が確認されている雨音、滝の音、森林の雑踏等の自然音に方向感知覚によるカクテルパーティー効果誘発を兼用し、より強い脳内刺激を期待するべくディレクショナルバンド強調を施す、アルファ波誘導技術が開発されている（シータ波とアルファ波はほぼ同時発生する）。【０００７】しかしこの様な新しいアルファ波の誘発法においても専用の音源や機器を用いる為、自然に、気軽に（無意識に）、安価に、と言った日常の生活に溶け込んだアルファ波誘発法を実現する事は非常に困難もしくは不可能である。【０００８】特許文献１は上記課題である自然に、気軽に（無意識に）、安価に、と言った日常の生活に溶け込んだアルファ波誘発法を極めて安価に実現する新しい音響技術である。【０００９】基本原理は従来技術である両耳ビート効果（バイノーラル・ビート）の延長に位置するものである。しかし従来技術である両耳ビート効果（バイノーラル・ビート）や聴覚イリュージョンによるアルファ波誘発技術では経験的にアルファ波やシータ波の誘発を確認しているに過ぎず科学的な理論付けが行われていなかった。【００１０】これに対し特許文献１により実現する音響機器は極めて安価に聴覚の弁別性能を向上し最終的にアルファ波を誘導する事が可能である。またこの音響機器は特殊な構成や部品を用いない為、最小構成の基本回路（非特許文献３）を用い、マスプロ化を行えば街中のディスカウントショップで１００円未満���単価で販売可能なアルファ波誘導機器を実現可能である。【００１１】上記（非特許文献３）によるアルファ波誘導過程は次の様になる。
ステップ１  →  音源として聴取者の嗜好に合致した自然音や楽曲を入力する。
ステップ２  →  音源からブレッグマンの４帰納則を満足する高調波を生成する。
ステップ３  →  上記高調波成分にハース効果を誘発可能な移相揺らぎを与える。
ステップ４  →  聴覚がカクテルパーティー効果を誘発する。
ステップ５  →  カクテルパーティー効果の誘発はＦＭシータ波を誘導する。
ステップ６  →  音源が聴取者の嗜好に合致している場合、ＦＭシータ波はアルファ波と                して再共鳴し脳波はシータ波とアルファ波の間で連続変動する。【００１２】上記アルファ波誘導過程の根拠を次に解説する。ステップ２に示されたブレッグマンの４帰納則とはＡｕｄｉｔｏｒｙ  ｓｃｅｎｅ  ａｎａｌｙｓｉｓ：ｈｅａｒｉｎｇ  ｉｎ  ｃｏｍｐｌｅｘ  ｅｎｖｉｒｏｎｍｅｎｔｓ（非特許文献２）中のＲｅｇｕｌａｒｉｔｙを意味する。これは海外においてブレッグマンの４つの帰納則（聴覚の情景分析と訳される事が多い）と言われる音響信号の帰納性についての考察で、任意の基音に対し異なる音響信号を加算する場合、帰納則を満足する事で基音の一部（倍音や残響音等）として知覚聴取されるとする聴覚特性に関する経験的発見である。【００１３】つまり生成された高調波成分がブレッグマンの４つの帰納則を満足する場合、付加する高調波成分のスペクトルや遅延特性により、本来基音と非相関な音響成分が基音の倍音や残響音として知覚される訳である。【００１４】ステップ３に示されたハース効果とは基音に対し付加される遅延した基音が、その遅延時間の大小により基音の強調成分や独立した先行音と後続音として分離知覚される心理音響現象であり、通常の自然音では両者混在で存在している事が多い。またハース効果誘発に必要とされる後続音は基音との相関が強い（つまり遅延した基音の）場合、後続音が基音の高調波成分のみで良い事がハース効果の別典とされる先行音効果（非特許文献３）に解説されている。【００１５】つまり基音と定義した波形に任意の高調波成分を付加する場合、ブレッグマンの４つの帰納則が適用された高調波成分であれば聴覚は付加された高調波成分をその遅延時間により基音の倍音や残響音として知覚する訳である。上記ステップ３ではブレッグマンの４つの帰納則が適用された高調波成分にハース効果を誘発しながら音源分離が知覚されない遅延量を与える。この移相処理により聴覚は付加される高調波成分を基音の倍音成分として知覚し音量の増大が聴取される。【００１６】ステップ４はカクテルパーティー効果の誘発である、近年の脳波計測技術の発達によりカクテルパーティー効果と脳波の相関を詳細に計測可能となった。この結果、現在ではＦＭシータ波が観測される聴覚刺激をカクテルパーティー効果と捉える事が常識となっている（非特許文献１）。【００１７】ステップ５はＦＭシータ波の誘発である、非特許文献５は人工的なカクテルパーティー効果誘発実験に関した考察論文である。論文では実験法と結果のみが報告され実験結果が意味するところが結論されていない。論文執筆時期からして脳波と聴覚の詳細な相関計測が困難な時期であり実験当時は結論が保留とされたものと思われる。しかし現代では同様の知覚状況をカクテルパーティー効果として定義する事が公知となっている。【００１８】また非特許文献５内で観測された状況は、基音に付加される高調波成分の移相量からはハース効果による基音強調であると捉える事も可能である。従って非特許文献５内で観測された状況では基音に付加する高調波成分が特定の移相量であればハース効果が誘発され最終的にＦＭシータ波が誘導されカクテルパーティー効果誘発に至ったと解釈する事が可能である。【００１９】非特許文献４は上記各種論文の結果を統合する事でハース効果として知覚聴取される信号波形とカクテルパーティー効果誘発を促す信号波形が帰納的に同一だとする考察と、その考察を具現化するハードウェア実現例に関わる文献である。【００２０】ステップ６はアルファ波の再共鳴現象についてであるが、現実の脳波は音叉の物理共振と同様にシータ波が各種刺激によりアルファ波として再共鳴する事が知られている。この様な現実を踏まえた場合、カクテルパーティー効果誘発時の聴取者が自身の嗜好に合致した楽曲や自然音等の各種音響刺激を知覚すればＦＭシータ波をアルファ波へ誘導可能である、また、このある意味特殊なハース効果知覚状況では、聴取音響にドラムや休符等で周期的かつ音楽的なＯＮ／ＯＦＦ刺激を与える事で、誘発されるアルファ波がこれら聴取刺激に同期する事が容易に想起可能である。【００２１】以上の考察からはハース効果を誘発する高調波成分を基音に付加する事で一般論に反し極めて容易にアルファ波を誘導可能であると結論できる。さらにこの解釈からはアルファ波を誘導する音響刺激がハース効果誘発の各種条件を満たせば可聴帯域外成分の有無はアルファ波誘発の絶対条件では無いと結論できる。従ってハース効果を誘発する高調波成分によりカクテルパーティー効果が誘導され最終的にアルファ波が観測されるとする考察は推測や予測では無く帰納的現実であると結論される。
【特許文献１】音響信号の明瞭度、弁別性能向上技術  日本国特許第４４２７６７２号
【特許文献２】人間の種々の意識を誘発する方法  日本国公開特許公報  特開平６−１９００４８
【非特許文献１】マンマシンシステム工学生理指標の計測と分析（１）〜生体反応と脳波〜（京都大学学内用文献）、エネルギー科学研究科エネルギー社会・環境科学専攻、下田  宏
【非特許文献２】Ａｕｄｉｔｏｒｙ  ｓｃｅｎｅ  ａｎａｌｙｓｉｓ：ｈｅａｒｉｎｇ  ｉｎ  ｃｏｍｐｌｅｘ  ｅｎｖｉｒｏｎｍｅｎｔｓ（Ａｌｂｅｒｔ  Ｓ．Ｂｒｅｇｍａｎ）ｈｔｔｐ：／／ｗｗｗ．ｐｈｏｎ．ｕｃｌ．ａｃ．ｕｋ／ｃｏｕｒｓｅｓ／ｓｐｓｃｉ／ａｕｄｐｅｒ／Ｂｒｅｇｍａｎ％２０１９９３．ｐｄｆ
【非特許文献３】１ビット  オーディオ  コンソーシアム  第一回研究発表会  資料“１ビットオーディオ  エンハンスド  テクノロジー”ｈｔｔｐｓ：／／ｄｒｉｖｅ．ｇｏｏｇｌｅ．ｃｏｍ／ｆｉｌｅ／ｄ／０Ｂ−ｏＵｏＤｘｊＵ０ｔ６ｄＧｄＬｄ０９ＭｂｌＩ５ＹｌＵ／ｖｉｅｗ？ｕｓｐ＝ｓｈａｒｉｎｇ
【非特許文献４】ＡＥＳ  ｔｈｅ  １４ｔｈ  Ｒｅｇｉｏｎａｌ  Ｃｏｎｖｅｎｔｉｏｎ  ２００９  Ｊｕｌｙ，“Ｍｅｔｈｏｄｓ  ｆｏｒ  Ｓｏｕｎｄ  Ｉｍｐｒｏｖｅ  Ａｒｔｉｃｕｌａｔｉｏｎ  ａｎｄ  Ｄｉｓｃｒｉｍｉｎａｔｉｏｎ  Ｐｅｒｆｏｒｍａｎｃｅｓ”
【非特許文献５】
2019042453.tif 000003
【非特許文献６】Ｊｏｕｒｎａｌ  ｏｆ  Ｎｅｕｒｏｐｈｙｓｉｏｌｏｇｙ  ｐｕｂｌｉｓｈｅｓ，ｏｒｉｇｉｎａｌ  ｏｎ  ８３：３５４８−３５５８，２０００．  Ｉｎａｕｄｉｂｌｅ  Ｈｉｇｈ−Ｆｒｅｑｕｅｎｃｙ  Ｓｏｕｎｄｓ  Ａｆｆｅｃｔ  Ｂｒａｉｎ  Ａｃｔｉｖｉｔｙ：Ｈｙｐｅｒｓｏｎｉｃ  Ｅｆｆｅｃｔ  ＴＳＵＴＯＭＵ  ＯＯＨＡＳＨＩ，ＥＭＩ  ＮＩＳＨＩＮＡ，ＭＡＮＡＢＵ  ＨＯＮＤＡ，ＹＯＳＨＩＨＡＲＵ  ＹＯＮＥＫＵＲＡ，ＹＯＳＨＩＴＡＫＡ  ＦＵＷＡＭＯＴＯ，ＮＯＲＩＥ  ＫＡＷＡＩ，ＴＡＤＡＯ  ＭＡＥＫＡＷＡ，ＳＡＴＯＳＨＩ  ＮＡＫＡＭＵＲＡ，ＨＩＤＥＮＡＯ  ＦＵＫＵＹＡＭＡ，ＨＩＲＯＳＨＩ  ＳＨＩＢＡＳＡＫＩ
【参考用評価音源】
本願発明者による登録特許、日本国特許第４４２７６７２号にてアルファ波を容易に誘導可能な事実を第三者が確認可能な様、インターネットで音源を配信しています、リンク先は年齢性別問わず不特定多数へのアプローチを考え動画付き投稿にしました。
ｈｔｔｐｓ：／／ｄｒｉｖｅ．ｇｏｏｇｌｅ．ｃｏｍ／ｆｉｌｅ／ｄ／０Ｂ−ｏＵｏＤｘｊＵ０ｔ６ＷｊＦＳｂＥＶｚＮＵＺＩＭｊＱ／ｖｉｅｗ？ｕｓｐ＝ｓｈａｒｉｎｇ
【発明の開示】
【発明が解決しようとする課題】
【００２２】本発明の目的は聴覚の弁別性能を向上する事によりＦＭシータ波を誘導し最終的にアルファ波として再共鳴させる帰納的事実が誘発する、人の大脳活性化効果を用いた人の遺伝子修正技術の開示である。
【課題を解決するための手段】
【００２３】人の遺伝子情報（ＤＮＡ）は生誕後変化しないとする社会的通説が存在する、故にＤＮＡ鑑定を用いた個人認証技術が開発される訳である。しかし、はるか昔より、人は日々の心持を特定状態に維持する事で体形や体質、そして人相や性格が大きく変化するといった現実が経験論として知られている事も事実である。【００２４】この様な背景から、人のＤＮＡ変化と大脳への各種刺激の相関が研究され、特に歯科医療の分野では非公式な研究課題であるものの、歯科インプラントおよび、そこで投与される鎮痛剤やその相殺用各種薬剤を組み合わせる事での人の遺伝子情報（ＤＮＡ）の修正／変更技術が実験的に試みられている。【００２５】本願発明者はアルファ波誘導による脳機能活性法特許（特許文献１）の特許権者であるものの無学位であり、また金銭的な問題から専門分野の学会に参加していない。また当然の事ながら医学や遺伝子を含めた医療技術の素人であり、これら遺伝子科学分野での正規学会論文の閲覧権限を持たない。【００２６】この様な中、インターネットを駆使し専門外の科学論文を無償閲覧する事を数年来試みている。結果、英語系ＳＮＳを中心に遺伝子科学分野での各種論文や非公式見解を閲覧する事が出来た。【００２７】閲覧可能な遺伝子科学分野での正規学会論文もしくは関連情報は後日、各種学会や大学のサイトへアクセスし、その真偽を確認した。この様な形で人の遺伝子情報（ＤＮＡ）は生誕後変化しないとする社会的通説と、人は日々の心持を特定状態に維持する事で体形や体質、そして人相や性格が大きく変化するといった事実の信ぴょう性を確認した。【００２８】また、あくまで非公式ながら、宮家の秋篠宮紀子様が男女お産み分けの問題に関わり歯科インプラントを中心とした大脳への各種刺激と、体質改善の為のｐＨ治療薬投与を長期にわたり試みられ、この事実をマスコミが遺伝子療法として各種報道を行った事実を英字新聞サイトで確認した。【００２９】この様な背景技術調査法は現在の日本の様に悪意を持ったハッカーが蔓延する状況では多くの問題を包含する事は事実である、しかし本願発明者の様な個人発明の規模では特許出願における背景技術調査結果に関する真贋見極めを発明者自身および特許庁関係者の真理眼に頼らざるを得ないのも事実なのである。【００３０】例えば、非特許文献４は正規学会で受理された文献であるが、本願発明者がＡＴＴ（米国電信電話）系ネットからアカウント作成を行い、後日別ネットからアカウントへアクセスしてもＡＴＴ系ネットとの連携が保たれるといったインターネット初期の情報ハイウェイの性質を利用し、アレックス・インターネットとよばれた検索ツールを駆使する事により本願発明者自宅で論文検証に必要な各種文献を揃えたものである。【００３１】この様に、インターネットによる背景技術調査を礎とした、科学論文の作成は資料調査が正確であれば、それら資料を参考とした理論の誘導が正規学会上で提起可能なのである。以上の経験から、本願発明においても同様な資料収集が可能と判断した。しかし２０１７年８月現在の本願発明者自宅インターネット回線では同様な検索を行う事が出来なくなっている事も事実なのである。【００３２】この様な理由から、甚だ不確かではあるが、［特許文献１］、［特許文献２］、［非特許文献１］、［非特許文献２］、［非特許文献３］、［非特許文献４］、［非特許文献５］、［非特許文献６］、そして２０１７年８月現在の人の遺伝子情報（ＤＮＡ）に関わる社会的通説（人は日々の心持を特定状態に維持する事で体形や体質、そして人相や性格が大きく変化する）等に期待し客観的資料とするものである。【００３３】なお、本願発明を審査請求する場合、本願発明者が知りえた各種遺伝子療法の詳細を各種学会からの有償購入等により入手の上、本願発明実現に必要な理論的根拠として手続き補正書を提出する。【００３４】以上、回りくどい背景技術解説となってしまうが、人の遺伝子修正技術が人の大脳活性化で実現出来る事が帰納的、そして客観的に、特許出願明細書解説に必要な範疇で確定出来ると考えるものである。また以下に審査請求以前の暫定的事実として、人の遺伝子修正に必要な条件として最も理解され、また客観となっている  日々の心持の特定状態、以外の事例を提示した。【００３５】生命は必ず生命放射線を伴うと言う真実が存在する、そしてまた生命放射線を含めたあらゆる放射線はあらゆる生命のＤＮＡ変質に関わる事が出来る、と言った真実も存在する。【００３６】つまり生命が生命放射線を伴う理由は血液を中心とした体液中の放射性同位元素濃度が脳機能の変化に従って変化するからであるが、この変化が人の体内、もしくは脳内の何処で強く起きるかで、人のＤＮＡ変質に強く関わる＝人の遺伝子の修正が可能、と容易に想起可能なのである。
【発明の効果】
【００３７】図１は［非特許文献４］公開時に本願発明者が同時に配布した音響信号処理装置の回路図である。ＶＣＡ等の特殊な部品を使用せずオペアンプだけで基本的な動作を構築した回路である。この音響信号処理装置は日本国特許第４４２７６７２号で解説される機能をより簡単な操作でより複雑に実現するもので、［非特許文献４］中の参考回路をセル（１回路ブロック）と考え、過渡応答調整による微妙な音質調整機能を排除し、セルの構成を単純化したものである。【００３８】つまり、音響信号が聴覚の弁別性能を向上させる為に必要なハース効果をより単純な高調波スペクトルで実現し、セルの構成を単純化する事で回路全体を単純化しながら帯域分割したハース効果調整機能を新たに付加した応用例である。【００３９】日本国特許第４４２７６７２号の特許登録の事実、及び［非特許文献４］よりこの発明により処理された音響信号が人の大脳活性効果を有する事は客観的にも明らかである、またヘミシンク（特許文献２）やバイノーラルビート等の特異な両耳効果から得られる人の心理状態の変化誘導と、それら特定心理状態で観測される人の大脳の特定活性化箇所（血流増大箇所〜非特許文献６）を参考に類似した音響信号を選択し、日本国特許第４４２７６７２号を用い聴取する事で従来技術で懸念されてきた各種問題を克服し、非破壊、かつ薬物依存や放射能被ばくを極小としながら被験者の遺伝子を特定状態へ変化させる事が可能であると結論した。
【発明を実施するための最良の形態】
【００４０】最も安価で簡便な実施形態が図１である、日本国特許第４４２７６７２号明細書内での基本回路を組み合わせ、被験者が聴取する音域を低域、中域、高域の３帯域で独立して調整可能としたものである。この様な帯域分割強調技術はＤＳＰが最も得意とする分野であるが３バンド以上の帯域で使用する必要がなければ、ここで紹介したアナログ回路が最も安価であり、かつ実用的である。
【実施例】
【００４１】図１、図２、を参照、
【産業上の利用可能性】
【００４２】本発明によって処理された人の遺伝情報修正要素は放射線としての形をとる事も可能である、これはつまり人の遺伝情報修正要素が放射線から得られる磁界や電界と強い相関を持つ事に等しい。従って米国で数十年の研究実績がある強電磁波による電離層共振技術（俗称：ハープ）に応用する事で微生物の遺伝子変質による害虫、病原菌の大量一斉除去技術に応用可能と思われる。
【図面の簡単な説明】
【００４３】
【図１】日本国特許第４４２７６７２号（音響信号の明瞭度、弁別性能向上技術）を用いたアルファ波誘導用音響処理装置実施例、この回路形態は日本国特許第４４２７６７２号（音響信号の明瞭度、弁別性能向上技術）特許出願直後よりインターネット上に発明者自身によって公開されているもので、現在も各種アーカイブで確認できる。音響信号を低音域、中音域、高音域の３帯域に分割し、それぞれの帯域にアルファ波誘導処理を行えるものである、聴覚を用いて脳の特定部位を強く刺激するにはシナプスの連鎖反応を利用する事が確実で、例えば音の上下感を強くつかさどる信号帯域を操作するには特異な周波数特性と更に中音域を操作する（ディレクショナルバンド）必要があるが、この操作でアルファ波が誘導すると視覚や触覚が連動して方向感を捉えようと機能するのである、
【図２】図１の回路動作概要をブロック図としたものである。
【符号の説明】
【００４４】１            非対称差分検出手段１
２            周波数検出手段１
３            反転バッファ手段３
４            反転バッファ手段１
５            周波数検出／振幅圧縮手段１
６            信号切り替え調整手段１
７            反転バッファ／信号加算手段
８            反転バッファ手段２
９            周波数検出／振幅圧縮手段２
１０          非対称差分検出手段２
１１          信号切り替え調整手段２
１２          対称差分検出手段
１３          振幅圧縮手段
１４          非対称差分検出手段３
１５          反転バッファ手段４
１６          反転バッファ手段５
１７          信号切り替え調整手段３
１Ａ          非対称差分検出手段１のブロック図表記
２Ａ          周波数検出手段１のブロック図表記
３Ａ          反転バッファ手段３のブロック図表記
４Ａ          反転バッファ手段１のブロック図表記
５Ａ          周波数検出／振幅圧縮手段１のブロック図表記
６Ａ          信号切り替え調整手段１のブロック図表記
７Ａ          反転バッファ／信号加算手段のブロック図表記
８Ａ          反転バッファ手段２のブロック図表記
９Ａ          周波数検出／振幅圧縮手段２のブロック図表記
１０Ａ        非対称差分検出手段２のブロック図表記
１１Ａ        信号切り替え調整手段２のブロック図表記
１２Ａ        対称差分検出手段のブロック図表記
１３Ａ        振幅圧縮手段のブロック図表記
１４Ａ        非対称差分検出手段３のブロック図表記
１５Ａ        反転バッファ手段４のブロック図表記
１６Ａ        反転バッファ手段５のブロック図表記
１７Ａ        信号切り替え調整手段３のブロック図表記
【図１】
2019042453.tif 000004
【図２】
2019042453.tif 000005